(57)【要約】【課題】電池パックを充電器から脱着するためのポップアップ機構を有し、このポップアップ機構が充電器のコネクタの保護を兼ねる充電器を提供することにある。【解決手段】本発明に関わる充電器３は、ホルダー９と、電池装着部５と、電源コネクタ６と、ポップアップ片７と、スライドカバー１０とを有する。そして、電池装着部５の電源コネクタ６の近傍に設けられた、電池パック１を取り外す時に、電池パック１をポップアップするポップアップ片７は、その面２が電源コネクタ６の面１よりもホルダー９側の方向にあって、ポップアップ片７の面２の方が高い位置にある。【選択図】　図１
2004147407.tif 000002
【特許請求の範囲】
【請求項１】
直方体の電池パック収容部を有し、この電池パックが収容されたときに当該電池パックへ充電を行う充電器において、
前記収容部を構成する１辺に設けられ、前記電池パックの着脱を行うロック機構と、
当該ロック機構近傍に設けられ、前記電池パックに充電を行うコネクタと、
このコネクタから一定距離を離して設けられ、該コネクタに対向する幅がこのコネクタの幅にほぼ等しい保護部材を備え、
前記保護部材は、前記電池パックの収納時は押し下げられていること
を特徴とする充電器。
【請求項２】
直方体の電池パック収容部を有し、この電池パックが収容されたときに当該電池パックへ充電を行う充電器において、
前記収容部を構成する１辺に設けられ、電池パックの着脱を行うロック機構と、当該ロック機構近傍に設けられ、前記電池パックに充電を行うコネクタと、
前記コネクタに対して前記ロック機構の反対側に設けられた保護部材を備え、
前記保護部材は、前記電池パックの収納時は押し下げられていることを特徴とする充電器。
【請求項３】
前記保護部材の上面は、前記電池パックが収納されていないときは、前記コネクタよりも高い位置にあることを特徴とする請求項１又は請求項２記載の充電器。
【請求項４】
前記保護部材は、前記コネクタを中心に対称となる位置に一つずつ設けられたことを特徴とする請求項１記載の充電器。
【請求項５】
前記電池パック収納部の前記ロック機構に対向する辺に、前記電池パックの端部を収納するホルダが形成されていることを特徴とする請求項１又は請求項２記載の充電器。
【発明の詳細な説明】
【０００１】
【発明の属する技術分野】
本発明は、携帯電話機等に内蔵される電池パックの充電器に関するもので、詳しくは電池パックのポップアップ片が充電端子の保護を兼ねる構造に関する。
【０００２】
【従来の技術】
携帯電話機等の充電を行う充電器の従来技術として、携帯電話機等に給電するためのコンタクトのプラスとマイナス間の短絡を防止する構造を示したものがある（例えば、特許文献１参照。）。
【０００３】
この充電器にあっては、携帯電話機等を充電器に差し込んだときに、携帯電話機等を受ける大きな面構成のシャッタを設け、携帯電話機等を充電器に差し込むとシャッタが押し下げられてコンタクトが露出し、このコンタクトと携帯電話機等の電源パッドとが接続する。携帯電話機等を充電器から外した場合には、シャッタが浮き上がり、コンタクトはシャッタに隠れて露出しないために、コンタクトのプラスとマイナス間の短絡を防止する構造としている。
【０００４】
【特許文献１】
特開２０００−４０５３４号公報（第１−６頁、図１−６）
【０００５】
【発明が解決しようとする課題】
ところで、上述した従来の充電器においては、シャッタが大きな面構成となっているために、使用者が、適正な取り扱いではなく誤操作等により、コンタクトから離れた位置のシャッタに力が加わっても、コンタクトが露出することになり、この状態において、コンタクトに対して横方向から不用意な衝撃が加わると、コンタクトを損傷することになる。
【０００６】
従って、本発明は、誤操作等に対してもコンタクトを保護する構造を有する充電器を提供することを目的とする。
【０００７】
【課題を解決するための手段】
上記目的を達成するために、本発明の充電器は、直方体の電池パック収容部を有し、この電池パックが収容されたときに当該電池パックへ充電を行う充電器において、前記収容部を構成する１辺に設けられ、前記電池パックの着脱を行うロック機構と、当該ロック機構近傍に設けられ、前記電池パックに充電を行うコネクタと、このコネクタから一定距離を離して設けられ、該コネクタに対向する幅がこのコネクタの幅にほぼ等しい保護部材を備え、前記保護部材は、前記電池パックの収納時は押し下げられていること
を特徴とする。
【０００８】
【発明の実施の形態】
以下、本発明の実施の形態を図面を参照して説明する。
【０００９】
（第１の実施の形態）
図１〜図２は、本発明を充電器に適用した第１の実施の形態を示し、図１（ａ）は充電器の上面図、図１（ｂ）は電池パック装着前の充電器および電池パックの側面図、図１（ｃ）は電池パック装着前の充電器および電池パックの別方向の側面図で、特に電源コネクタとポップアップ片等の関係を示した図である。また、図２（ａ）は電池パック装着後の充電器および電池パックの側面図、図２（ｂ）は電池パック装着後の充電器および電池パックの別方向の側面図で、特に電源コネクタとポップアップ片等の関係を示した図である。
【００１０】
図１、図２に示すように、電池パック１は、端部１ａ、１ｂを有し、一方の端部１ａには電源コネクタ２が設けられている。
【００１１】
この電池パック１は、携帯電話機（図示せず）等の電子機器に脱着可能で、電池パック１の電源コネクタ２と携帯電話機の電源コネクタ（図示せず）とが接続されて、電池パック１から携帯電話機に電力を供給する。電源コネクタ２は点接触の給電ピン用の接触片を使用しても良いし、電気的接続の信頼性を更に増す場合には面接触の電源コネクタを使用しても良い。
【００１２】
この電池パック１は、携帯電話機から取り外して、電池パック１単体でも充電できる構造になっており、充電器３を用いて電池パック１単体の充電を行う。
【００１３】
充電器３の主要部は、ハウジング４と、電池パック１が装着される空間部分である電池装着部５と、電池装着部５の底面のスライドカバー１０側の近傍に設けられる、電池パック１の電源コネクタ２と電気的に接続する電源コネクタ６と、電源コネクタ６を挟んで左右に設けられる、装着された電池パック１の脱着時に電池パック１をポップアップするポップアップ片７、およびポップアップ片７を上方向に付勢するバネ８とを有する構造としている。電源コネクタ６は点接触の給電ピンを使用しても良い。
【００１４】
また、電池装着部５の底面のスライドカバー１０とは逆側端面の近傍には、電池パック１の端部１ｂをホールドするためのホルダー９が設けられる。
【００１５】
更に、電池パック１の装着後のロックおよび脱着時のリリースを行うスライドカバー１０およびバネ１１が設けられ、バネ１１はスライドカバー１０を右方向（ホルダー９の方向）に付勢する構造としている。
【００１６】
また、ハウジング４の底面には、商用ＡＣコンセント（図示せず）に挿入されるＡＣプラグ１２が回動自在に設けられており、図１（ｂ）および図２（ａ）ではＡＣプラグ１２が折り畳まれた状態を示している。
【００１７】
また、ハウジング４の内部には、充電回路用印刷基板や電源コネクタ６用印刷基板を内蔵する（図示せず）。
【００１８】
充電器３の電池装着部５へ電池パック１を装着する順序は、まず、図１（ｂ）および図１（ｃ）に示すように、電池パック１の端部１ｂを充電器３のホルダー９に差し込む。この時、電池パック１の電源コネクタ２と電池装着部５の電源コネクタ６は、電池パック１の端部１ｂ側の端面を円の中心点とする円弧線１３上にある。
【００１９】
次に、電池パック１の端部１ａを円弧線１３に添って上から下の方向に押すと、スライドカバー１０の傾斜面によってスライドカバー１０が摺動して、図２（ａ）および図２（ｂ）に示すように、電池パック１の電源コネクタ２と電池装着部５の電源コネクタ６とは、同一軸状で嵌合し、更にポップアップ片７を下方向に押しこんでバネ８が圧縮された状態（略水平状態）まで収められると、バネ１１により、スライドカバー１０が元の位置に戻り、電池パック１をロックする。
【００２０】
こうして、充電器３側の電源コネクタ６と電池パック１側の電源コネクタ２が接続した状態で充電器３に電池パック１の収納が完了すると、ＡＣプラグ１２を商用コンセントに接続して、電池パック１の充電を開始する。
【００２１】
一方、電池パック１の脱着は、スライドカバー１０をバネ１１の付勢に反する矢印Ａの方向へ移動させて電池パック１のロックを解除してリリースする。すると、ポップアップ片７がバネ８の付勢力で電池パック１を上方向にポップアップして、電池パック１の電源コネクタ２と電池装着部５の電源コネクタ６との嵌合を外す。このために、電源コネクタ６の左右近傍にポップアップ片７が設けられている。
【００２２】
ところで、使用者は上記した順序で電池パック１を充電器３に装着するとは限らず、思いもしない操作、例えば電池パック１の端部１ｂをホルダー９に挿入するより先に、電源コネクタ同士を嵌合させようとすることが考えられる。
【００２３】
このような場合でも、本発明の構成であれば、ポップアップ片７の面２が電源コネクタ６の面１よりも少し高い位置（上面の位置）で、且つ右方向（側面の位置）にあるため、電池パック１をホルダー９の方向からこじ入れようとしても、電池パック１の端部１ａ側の端面は先にポップアップ片７の面２に当り、電源コネクタ６のコネクタ端子を強打することが防止できる。
【００２４】
ポップアップ片７が押し下げられるときは、必ず電源コネクタ６に対して上方向からのみ力が加わるように構成されているため、電源コネクタ６を損傷することがない。
【００２５】
従って、実施の形態の充電器によれば、使用者の無理な操作に対しても、充電器３の電源コネクタ６の損傷を防止することができる。
【００２６】
（第２の実施の形態）
図３（ａ）は、本発明の第２の実施の形態の充電器の上面図である。以下、第１の実施の形態と異なるところについて説明する。なお、図１および図２と同じ構成は同一符号を参照して説明する。
【００２７】
この第２の実施の形態では、ポップアップ片２７は、電池装着部５の電源コネクタ６の近傍でホルダー９側の方向に１個設けられる。
【００２８】
この第２の実施の形態においても、使用者が電池パック１の端部１ｂをホルダー９に挿入するより先に、端部１ａを充電器３の電源コネクタ６近辺にあてがう操作を行った場合であっても、ポップアップ片２７の面２が電源コネクタ６の面１よりも少し高い位置（上面の位置）で、且つ右方向（側面の位置）にあるため、上述の行為を行ったとしても、電池パック１の端部１ａ側の端面は先にポップアップ片２７の面２に当り、電源コネクタ６のコネクタ端子を強打することが防止できる。
【００２９】
ポップアップ片２７が押し下げられるときは、必ず電源コネクタ６に対して上方向からのみ力が加わるように構成されているため、電源コネクタ６を損傷することがない。
【００３０】
（第３の実施の形態）
図３（ｂ）は、本発明の第３の実施の形態の充電器の上面図である。以下、第１の実施の形態と異なるところについて説明する。なお、図１および図２と同じ構成は同一符号を参照して説明する。
【００３１】
この第３の実施の形態では、電源コネクタ６を取り囲む構造のポップアップ片３７を設けている。
【００３２】
この第３の実施の形態においても、使用者が電池パック１の端部１ｂをホルダー９に挿入するより先に、端部１ａを充電器３の電源コネクタ６近辺にあてがう操作を行った場合であっても、ポップアップ片３７の面２が電源コネクタ６の面１よりも少し高い位置（上面の位置）で、且つ周辺にあるため、上述の行為を行ったとしても、電池パック１の端部１ａ側の端面は先にポップアップ片３７の面２に当り、電源コネクタ６のコネクタ端子を強打することが防止できる。また、右方向だけではなく、更に全方向からの無理な挿入に対しても、電源コネクタ６への衝撃を防止することができる。
【００３３】
ポップアップ片３７が押し下げられるときは、必ず電源コネクタ６に対して上方向からのみ力が加わるように構成されているため、電源コネクタ６を損傷することがない。
【００３４】
なお、上述した各実施の形態においては、電池パックと充電器との接続用として電源コネクタを実施例として示したが、例えば給電ピン等の他の接続部品においても、本発明を有効に適用し得ることは言うまでもない。
【００３５】
また、上述した各実施の形態においては、本発明を電池パック単体用の充電器に適用した実施例を示したが、例えば携帯電話機等の電子機器の充電器においても、本発明を有効に適用し得ることは言うまでもない。
【００３６】
【発明の効果】
このように、本発明によれば、電池パックを充電器に装着する時の使用者の無理な操作に対しても、充電器のポップアップ片を兼用して、充電器の電源コネクタの損傷を防止し、保護することが可能となる。
【図面の簡単な説明】
【図１】本発明に関わる第１の実施の形態を示す充電器の上面図および側面図。
【図２】図１に示した充電器に電池パックを収納した状態における側面図。
【図３】本発明に関わる第２の実施の形態、および第３の実施の形態を示す充電器の上面図。
【符号の説明】
１　電池パック
１ａ、１ｂ　端部
２　電源コネクタ
３　充電器
４　ハウジング
５　電池装着部
６　電源コネクタ
７、２７、３７　ポップアップ片
８　バネ
９　ホルダー
１０　スライドカバー
１１　バネ
１２　ＡＣプラグ
１３　円弧線
【図１】
2004147407.tif 000003
【図２】
2004147407.tif 000004
【図３】
2004147407.tif 000005